【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】
遊技媒体を用いて所定の遊技を行うことが可能な遊技機であって、
遊技機に設けられた電気部品を制御するための処理を実行する電気部品制御マイクロコンピュータと、
遊技機への電力供給が停止しても所定期間は記憶内容を保持することが可能な変動データ記憶手段と、
遊技機で用いられる所定の電源の状態を監視して、該電源の出力電圧が所定値に低下したことを検出したときに検出信号を出力する電源監視手段と、
操作に応じて操作信号を出力する操作手段と、
前記電気部品制御マイクロコンピュータからのクリア信号が所定期間出力されないときに、前記電気部品制御マイクロコンピュータに対して復帰信号を出力する復帰信号出力手段と、
遊技機への電力供給が開始されたときに、前記電気部品制御マイクロコンピュータに対してリセット信号を出力するリセット手段とを備え、
前記電気部品制御マイクロコンピュータは、
電気部品を制御するための処理を実行しているときに、定期的に前記クリア信号を出力するクリア信号出力手段と、
前記電源監視手段から検出信号が出力されたときに、電気部品を制御するための処理を実行する状態から、制御状態を復旧させるために必要なデータを前記変動データ記憶手段に保存するための電力供給停止時処理を実行する状態に移行して該電力供給停止時処理を実行し、該電力供給停止時処理を実行した後、待機状態に移行する電力供給停止時処理実行手段と、
前記復帰信号または前記リセット信号が入力されたときに、前記操作手段から前記操作信号が出力されなかったことを条件に、前記変動データ記憶手段に保存されていた記憶内容にもとづいて制御状態を電力供給が停止する前の状態に復旧させる復旧処理を実行する復旧手段と、
前記復帰信号または前記リセット信号が入力されたときに、前記操作手段から前記操作信号が出力されたことを条件に、前記変動データ記憶手段に保持されていた記憶内容を初期化する初期化処理を実行する初期化手段とを含む
ことを特徴とする遊技機。
【請求項２】
復旧手段は、復帰信号またはリセット信号が入力されたときに、電力供給が停止する前の制御状態に復旧させるか否かを決定するための複数の復旧条件がすべて成立したときに、変動データ記憶手段に保存されていた記憶内容にもとづいて制御状態を復旧させる復旧処理を実行し、
初期化手段は、前記複数の復旧条件のうち少なくとも１つの条件が不成立であったときに前記変動データ記憶手段の記憶内容を初期化する初期化処理を実行する
請求項１記載の遊技機。
【請求項３】
電力供給停止時処理実行手段は、電力供給停止時処理にて、制御状態を復旧させるために必要なデータを変動データ記憶手段に保存した後、前記変動データ記憶手段へのアクセスを禁止する処理を実行する
請求項１または請求項２記載の遊技機。
【請求項４】
電気部品制御マイクロコンピュータが搭載された制御基板を複数備え、
前記制御基板とは別個に、遊技機へ供給される電源から各制御基板で用いられる電圧の電源を作成する電源基板を備え、
復帰信号出力手段は、前記電源基板に搭載される
請求項１から請求項３のうちいずれかに記載の遊技機。
【請求項５】
操作手段の操作信号は、電気部品制御マイクロコンピュータに信号を入力するための入力ポートに入力され、
前記電気部品制御マイクロコンピュータは、遊技機への電力供給が開始されたときにのみ、前記入力ポートの状態を監視することによって前記操作手段から前記操作信号が出力されているか否かを判定する
請求項１から請求項４のうちいずれかに記載の遊技機。
【請求項６】
電気部品制御マイクロコンピュータが搭載された制御基板を複数備え、
操作手段は、前記制御基板とは別の基板に搭載される
請求項１から請求項５のうちいずれかに記載の遊技機。
【請求項７】
制御基板とは別個に、遊技機へ供給される電源から各制御基板で用いられる電圧の電源を作成する電源基板を備え、
前記電源基板には、操作手段と、遊技機への電源の供給または遮断を選択するための電力供給許可手段とが搭載される
請求項６記載の遊技機。
【請求項８】
電気部品制御マイクロコンピュータは、遊技の進行を制御する遊技制御マイクロコンピュータを含み、
前記遊技制御マイクロコンピュータからのコマンドにもとづいて報知部品を制御可能な報知部品制御手段を備え、
前記遊技制御マイクロコンピュータは、初期化処理を実行する際に所定のコマンドを出力する処理を行い、
前記報知部品制御手段は、前記遊技制御マイクロコンピュータからの前記所定のコマンドにもとづいて、前記初期化処理が実行されていることを、前記報知部品を用いて報知する処理を行う
請求項１から請求項７のうちいずれかに記載の遊技機。
【手続補正２】
【補正対象書類名】明細書
【補正対象項目名】００１４
【補正方法】変更
【補正の内容】
【００１４】
【課題を解決するための手段】
本発明による遊技機は、遊技媒体を用いて所定の遊技を行うことが可能な遊技機であって、遊技機に設けられた電気部品を制御するための処理を実行する電気部品制御マイクロコンピュータ（例えば、ＣＰＵ５６を含む遊技制御手段、払出制御用ＣＰＵ３７１を含む払出制御手段）と、遊技機への電力供給が停止しても所定期間は記憶内容を保持することが可能な変動データ記憶手段（例えば主基板３１が備える電源バックアップされたＲＡＭ５５や払出制御基板３７が備える電源バックアップされたＲＡＭ）と、遊技機で用いられる所定の電源の状態を監視して、該電源の出力電圧が所定値に低下したことを検出したときに（例えば監視電圧であるＶSL（＋３０Ｖ）の電圧値が＋２２Ｖまで低下したときに）検出信号を出力する電源監視手段（例えば電源監視用ＩＣ９０２）と、操作に応じて操作信号（例えばクリアスイッチ信号）を出力する操作手段（例えばクリアスイッチ９２１）と、電気部品制御マイクロコンピュータからのクリア信号が所定期間出力されないときに、電気部品制御マイクロコンピュータに対して復帰信号を出力する復帰信号出力手段と、遊技機への電力供給が開始されたときに、電気部品制御マイクロコンピュータに対してリセット信号を出力するリセット手段とを備え、電気部品制御マイクロコンピュータは、電気部品を制御するための処理を実行しているときに、定期的にクリア信号を出力するクリア信号出力手段と、電源監視手段から検出信号が出力されたときに、電気部品を制御するための処理を実行する状態から、制御状態を復旧させるために必要なデータ（例えばＣＰＵ５６や払出制御用ＣＰＵ３７１に用いられるレジスタのデータ等）を変動データ記憶手段に保存するための電力供給停止時処理（例えば図２２〜図２４に示す処理や図４９〜図５１に示す処理）を実行する状態に移行して該電力供給停止時処理を実行し、該電力供給停止時処理を実行した後、待機状態に移行する電力供給停止時処理実行手段と、復帰信号またはリセット信号が入力されたときに、操作手段から操作信号が出力されなかったことを条件に、変動データ記憶手段に保存されていた記憶内容にもとづいて制御状態を電力供給が停止する前の状態に復旧させる復旧処理（例えば図２０に示す遊技状態復旧処理や図４８に示す払出状態復旧処理）を実行する復旧手段と、復帰信号またはリセット信号が入力されたときに、操作手段から操作信号が出力されたことを条件に、変動データ記憶手段に保持されていた記憶内容を初期化する初期化処理（例えばステップＳ１１〜ステップＳ１５の処理、ステップＳ７１１〜ステップＳ７１４の処理）を実行する初期化手段とを含むことを特徴とするものである。
【手続補正３】
【補正対象書類名】明細書
【補正対象項目名】００１５
【補正方法】変更
【補正の内容】
【００１５】
復旧手段が、復帰信号またはリセット信号が入力されたときに、電力供給が停止する前の制御状態に復旧させるか否かを決定するための複数の復旧条件（例えば、遊技制御手段におけるステップＳ７〜ステップＳ９の条件、払出制御手段におけるステップＳ７０７〜ステップＳ７０９の条件）がすべて成立したときに、変動データ記憶手段に保存されていた記憶内容にもとづいて制御状態を復旧させる復旧処理を実行し、初期化手段は、複数の復旧条件のうち少なくとも１つの条件が不成立であったときに変動データ記憶手段の記憶内容を初期化する初期化処理（例えばステップＳ１１〜ステップＳ１５の処理、ステップＳ７１１〜ステップＳ７１４の処理）を実行することが可能であるように構成されていてもよい。
【手続補正４】
【補正対象書類名】明細書
【補正対象項目名】００１６
【補正方法】変更
【補正の内容】
【００１６】
電力供給停止時処理実行手段が、電力供給停止時処理にて、制御状態を復旧させるために必要なデータを変動データ記憶手段に保存した後、変動データ記憶手段へのアクセスを禁止する処理（例えばステップＳ４９８、ステップＳ８４６）を実行するように構成されていてもよい。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】変更
【補正の内容】
【００１９】
電気部品制御マイクロコンピュータが搭載された制御基板（例えば主基板３１、払出制御基板３７）を複数備え、制御基板とは別個に、遊技機へ供給される電源から各制御基板で用いられる電圧の電源を作成する電源基板（例えば電源基板９１０）を備え、復帰信号出力手段が、電源基板に搭載される構成とされていてもよい。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】変更
【補正の内容】
【００２１】
操作手段の操作信号が、電気部品制御マイクロコンピュータに信号を入力するための入力ポート（例えば図１７の入力ポート１、図４５の入力ポートＢ）に入力され、電気部品制御マイクロコンピュータが、遊技機への電力供給が開始されたときにのみ、入力ポートの状態を監視する（例えばステップＳ７の処理を実行することで監視する。また、例えばステップＳ７０７の処理を実行することで監視する。）ことによって操作手段から操作信号が出力されているか否かを判定するように構成されていてもよい。
【手続補正１０】
【補正対象書類名】明細書
【補正対象項目名】００２２
【補正方法】変更
【補正の内容】
【００２２】
電気部品制御マイクロコンピュータが搭載された制御基板（例えば主基板３１、払出制御基板３７）を複数備え、操作手段が、制御基板とは別の基板（例えば電源基板９１０、スイッチ基板）に搭載される構成とされていてもよい。
【手続補正１１】
【補正対象書類名】明細書
【補正対象項目名】００２４
【補正方法】変更
【補正の内容】
【００２４】
電気部品制御マイクロコンピュータは、遊技の進行を制御する遊技制御マイクロコンピュータ（例えばＣＰＵ５６を含む遊技制御手段）を含み、遊技制御マイクロコンピュータからのコマンドにもとづいて報知部品（例えば可変表示装置９）を制御可能な報知部品制御手段（例えば表示制御用ＣＰＵ１０１を含む表示制御手段）を備え、遊技制御マイクロコンピュータが、初期化処理を実行する際に所定のコマンド（例えば初期化処理の実行中であることを示すコマンド）を出力する処理を行い、報知部品制御手段が、遊技制御マイクロコンピュータからの所定のコマンドにもとづいて、初期化処理が実行されていることを、報知部品を用いて報知する処理（例えば「初期化中」などの表示による報知）を行うように構成されていてもよい。
【手続補正１２】
【補正対象書類名】明細書
【補正対象項目名】０６６３
【補正方法】変更
【補正の内容】
【０６６３】
【発明の効果】
以上のように、請求項１記載の発明によれば、遊技機を、電気部品制御マイクロコンピュータが、電源監視手段から検出信号が出力されたときに、電気部品を制御するための処理を実行する状態から、制御状態を復旧させるために必要なデータを変動データ記憶手段に保存するための電力供給停止時処理を実行する状態に移行して該電力供給停止時処理を実行し、該電力供給停止時処理を実行した後、待機状態に移行する構成とされ、復帰信号またはリセット信号が入力されたときに、操作手段から操作信号が出力されなかったことを条件に、変動データ記憶手段に保存されていた記憶内容にもとづいて制御状態を電力供給が停止する前の状態に復旧させる復旧処理を実行し、復帰信号またはリセット信号が入力されたときに、操作手段から操作信号が出力されたことを条件に、変動データ記憶手段に保持されていた記憶内容を初期化する初期化処理を実行することを特徴とするので、復旧処理を行う必要がない場合には状態復旧処理が実行されないようにすることができ、遊技機運用上の利便性を向上させることが可能となるという効果を得ることができるとともに、復帰信号出力手段によって電気部品制御マイクロコンピュータを制御実行状態に復帰させることが可能になり、その結果、ごく短時間で復旧する電源の瞬断等が生じても制御に支障を来すことがないという効果を得ることができる。
【手続補正１３】
【補正対象書類名】明細書
【補正対象項目名】０６６４
【補正方法】変更
【補正の内容】
【０６６４】
請求項２記載の発明では、復旧手段が、復帰信号またはリセット信号が入力されたときに、電力供給が停止する前の制御状態に復旧させるか否かを決定するための複数の復旧条件がすべて成立したときに、変動データ記憶手段に保存されていた記憶内容にもとづいて制御状態を復旧させる復旧処理を実行し、複数の復旧条件のうち少なくとも１つの条件が不成立であったときに変動データ記憶手段の記憶内容を初期化する初期化処理を実行することが可能であるように構成されているので、不確実な状態から制御状態が復旧してしまうことが低減される。
【手続補正１４】
【補正対象書類名】明細書
【補正対象項目名】０６６５
【補正方法】変更
【補正の内容】
【０６６５】
請求項３記載の発明では、電力供給停止時処理実行手段が、電力供給停止時処理にて、制御状態を復旧させるために必要なデータを変動データ記憶手段に保存した後、変動データ記憶手段へのアクセスを禁止する処理を実行するように構成されているので、電力供給停止時処理後に変動データ記憶手段の内容が破壊されること等を防止することができる。
【手続補正１５】
【補正対象書類名】明細書
【補正対象項目名】０６６６
【補正方法】削除
【補正の内容】
【手続補正１６】
【補正対象書類名】明細書
【補正対象項目名】０６６７
【補正方法】削除
【補正の内容】
【手続補正１７】
【補正対象書類名】明細書
【補正対象項目名】０６６８
【補正方法】変更
【補正の内容】
【０６６８】
請求項４記載の発明では、復帰信号出力手段が、電源基板に搭載される構成とされているので、各制御基板毎に待機状態復帰手段を設ける必要がない。
【手続補正１８】
【補正対象書類名】明細書
【補正対象項目名】０６６９
【補正方法】削除
【補正の内容】
【手続補正１９】
【補正対象書類名】明細書
【補正対象項目名】０６７０
【補正方法】変更
【補正の内容】
【０６７０】
請求項５記載の発明では、操作手段の操作信号が、電気部品制御マイクロコンピュータの入力ポートに入力され、電気部品制御マイクロコンピュータが、遊技機への電力供給が開始されたときにのみ、入力ポートの状態を監視することによって操作手段から操作信号が出力されているか否かを判定するように構成されているので、操作手段の操作状態を確実に判定することができる。
【手続補正２０】
【補正対象書類名】明細書
【補正対象項目名】０６７１
【補正方法】変更
【補正の内容】
【０６７１】
請求項６記載の発明では、電気部品制御マイクロコンピュータが搭載された制御基板を複数備え、操作手段は、制御基板とは別の基板に搭載される構成とされているので、遊技店員等が操作しやすい任意の位置に操作手段を設置することができる。
【手続補正２１】
【補正対象書類名】明細書
【補正対象項目名】０６７２
【補正方法】変更
【補正の内容】
【０６７２】
請求項７記載の発明では、制御基板とは別個に、遊技機へ供給される電源から各制御基板で用いられる電圧の電源を作成する電源基板を備え、電源基板には、操作手段と、遊技機への電源の供給または遮断を選択するための電力供給許可手段とが搭載される構成とされているので、操作手段と電力供給許可手段を近くに配することができるようになり、操作手段の操作がより容易となる。
【手続補正２２】
【補正対象書類名】明細書
【補正対象項目名】０６７３
【補正方法】変更
【補正の内容】
【０６７３】
請求項８記載の発明では、遊技制御マイクロコンピュータが、初期化処理を実行する際に所定のコマンドを出力する処理を行い、報知部品制御手段が、遊技制御マイクロコンピュータからの所定のコマンドにもとづいて、初期化処理が実行されていることを、報知部品を用いて報知する処理を行うように構成されているので、電気部品制御マイクロコンピュータに初期化処理を実行させる不正行為が行われても、そのような不正行為を容易に発見することができる。